(57)【要約】【課題】封書Ｐ３を無駄に廃棄することなく作成する。【解決手段】封筒判定部１１９ａが、封筒作成ジョブに基づいて封筒用紙Ｐ１の種類が窓付き封筒用紙Ｐ１１か否かを判定し、封筒判定部１１９ａにより窓付き封筒用紙Ｐ１１と判定された場合、サンプル作成制御部１１９ｂが、封筒作成ジョブに基づいて最初の封書Ｐ３をサンプル封書Ｐ３１として作成させ、作成制御部１１９ｃが、サンプル封書Ｐ３１を最初の封書（１通目の封書Ｐ３）とし、次通目以降の封書Ｐ３を封筒作成ジョブに基づいて作成させる。【選択図】      図２
2019181779.tif 000002
【特許請求の範囲】
【請求項１】
封筒作成ジョブに基づいて封筒および内容物を印刷する印刷装置と、前記印刷装置により印刷された内容物を折り畳んで前記封筒に封入封緘する封入封緘装置とを備えた封書作成システムであって、
前記封筒作成ジョブに基づいて前記封筒が窓付き封筒か否かを判定する封筒判定手段と、
前記封筒判定手段により窓付き封筒と判定された場合に、前記封筒作成ジョブに基づいて最初の封書をサンプル封書として作成させるサンプル作成制御手段と、
前記サンプル作成制御手段により作成されたサンプル封書が適切であることが確認された場合に、前記サンプル封書を最初の封書とし、次通目以降の封書を前記封筒作成ジョブに基づいて作成させる作成制御手段と、
を備えたことを特徴とする封書作成システム。
【請求項２】
前記サンプル作成制御手段は、
前記封筒判定手段により窓付き封筒ではないと判定された場合に、前記封筒作成ジョブに基づいて最初の前記封筒および前記内容物にサンプルであることを示す画像を付加して最初の封書を画像付加サンプル封書として作成させ、
前記作成制御手段は、
前記サンプル作成制御手段により作成された画像付加サンプル封書が適切であることが確認された場合に、前記封筒作成ジョブに基づいて最初の封書から作成させる
ことを特徴とする請求項１記載の封書作成システム。
【発明の詳細な説明】
【技術分野】
【０００１】
本発明は、窓付き封筒を無駄に廃棄することなく封書を作成する封書作成システムに関する。
【背景技術】
【０００２】
従来、封筒作成ジョブに基づいて封筒および内容物を印刷する印刷装置と、印刷装置により印刷された内容物を折り畳んで封入封緘することにより封書を作成する封入封緘装置とを備えた封書作成システムがある。
【０００３】
この封書作成システムにおいて、封筒に印刷された宛名と封筒に封入された内容物との組み合わせが正しいかどうかの仕上がり状態を確認するために、封書を本作成する前に、サンプルプリントして１通のみの封書を作成する場合がある。そして、サンプルプリントを確認した後に、ユーザ操作に基づいて封書を本作成する。
【０００４】
特許文献１には、サンプルを作成する指示を受け付けたとき、最初の通に属する封筒本体に封書がサンプルであることを示す付加画像を付加し、最初の通に属する封筒本体および封入物のみを印刷させるデータ処理装置に関する技術が開示されている。
【先行技術文献】
【特許文献】
【０００５】
【特許文献１】特開２０１３−２２８７６９号公報
【発明の概要】
【発明が解決しようとする課題】
【０００６】
ここで、この封書作成システムでダイレクトメールを作成する場合、窓付き封筒が用いられることが多い。窓付き封筒には透明の窓が設けられており、この窓から内容物に印刷された配送先の宛名が見えるように内容物が封入封緘される。そのため、封書を開封することなく、封筒に印刷された宛名と封筒に封入された内容物との組み合わせが正しいかどうかを確認することができる。
【０００７】
このように開封することなく適切な組み合わせか否かを確認できるので、適切な組み合わせであることが確認された封書については、廃棄することなく正式な封書として利用することができる。
【０００８】
しかしながら、特許文献１の技術のように、サンプルであることを示す付加画像を付加して封筒に印刷すると、正式な封書として利用することができないので、その分だけ封書を無駄に廃棄してしまう場合があった。
【０００９】
本発明は、このような課題に鑑みてなされたもので、窓付き封筒を無駄に廃棄することなく封書を作成する封書作成システムを提供することを目的とする。
【課題を解決するための手段】
【００１０】
上記目的を達成するため、本発明に係る封書作成システムの第１の特徴は、
封筒作成ジョブに基づいて封筒および内容物を印刷する印刷装置と、前記印刷装置により印刷された内容物を折り畳んで前記封筒に封入封緘する封入封緘装置とを備えた封書作成システムであって、
前記封筒作成ジョブに基づいて前記封筒が窓付き封筒か否かを判定する封筒判定手段と、
前記封筒判定手段により窓付き封筒と判定された場合に、前記封筒作成ジョブに基づいて最初の封書をサンプル封書として作成させるサンプル作成制御手段と、
前記サンプル作成制御手段により作成されたサンプル封書が適切であることが確認された場合に、前記サンプル封書を最初の封書とし、次通目以降の封書を前記封筒作成ジョブに基づいて作成させる作成制御手段と、を備えたことにある。
【発明の効果】
【００１１】
本発明に係る封書作成システムの第１の特徴によれば、窓付き封筒を無駄に廃棄することなく封書を作成することができる。
【図面の簡単な説明】
【００１２】
【図１】本発明の実施の形態に係る封書作成システムの構成を示す概略構成図である。
【図２】本発明の実施の形態に係る封書作成システムを模式的に示す機能構成図である。
【図３】窓付き封筒用紙であると判定された場合に、窓付き封筒用紙及び内容物用紙を用いて本発明の実施の形態に係る封書作成システムにより封書が作成される流れを説明した図である。
【図４】窓なし封筒用紙であると判定された場合に、窓なし封筒用紙及び内容物用紙を用いて本発明の実施の形態に係る封書作成システムにより封書が作成される流れを説明した図である。
【図５】本発明の実施形態に係る封書作成システムの処理内容を示すフローチャートである。
【発明を実施するための形態】
【００１３】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１４】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１５】
［封書作成システムの基本構成］
本発明の実施の形態に係る封書作成システム１の基本構成について説明する。図１は、本発明の実施の形態に係る封書作成システム１の構成を示す概略構成図であり、図２は、実施の形態に係る封書作成システムを模式的に示す機能構成図である。
【００１６】
図１、図２に示すように、本実施の形態に係る封書作成システム１は、封筒用紙Ｐ１及び内容物用紙Ｐ２に印刷して排出する印刷装置２と、印刷装置２で印刷された封筒用紙Ｐ１から封筒を形成し、印刷装置２で印刷された内容物用紙Ｐ２を封筒に収納して封書Ｐ３を作成する封入封緘装置３とを備えている。なお、ここで、用いられる封筒用紙Ｐ１には、窓付き封筒用紙Ｐ１１と、窓なし封筒用紙Ｐ１３とがある。窓付き封筒用紙Ｐ１１は、後述するように、内部に封入された内容物用紙Ｐ２が見えるように透明な窓部が設けられた封筒用紙Ｐ１であり、窓なし封筒用紙Ｐ１３は、窓部が設けられていない封筒用紙Ｐ１である。
【００１７】
印刷装置２は、各部を収納する筐体の内部又は側面等に給紙部１１１を備えている。給紙部１１１は、封筒用紙Ｐ１が載置された第１給紙トレイ１１１ａと、内容物用紙Ｐ２が載置された第２給紙トレイ１１１ｂ〜１１１ｄとを有している。
【００１８】
給紙部１１１それぞれには搬送経路１１３が接続されており、この搬送経路１１３上の複数個所に搬送ローラなどで構成された搬送部１１２が設けられている。搬送部１１２は、第１給紙トレイ１１１ａに載置された封筒用紙Ｐ１を１枚ずつ取り出し、搬送経路１１３上で搬送する。同様に、搬送部１１２は、第２給紙トレイ１１１ｂ〜１１１ｄに載置された内容物用紙Ｐ２を１枚ずつ取り出し、搬送経路１１３上で搬送する。
【００１９】
印刷装置２は、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷部１１４を有している。搬送経路１１３上の印刷部１１４の上流には、検出部１１８が設けられており、搬送される封筒用紙Ｐ１や内容物用紙Ｐ２を検出する。
【００２０】
また、印刷装置２は、封筒用紙Ｐ１や内容物用紙Ｐ２を封入封緘装置３に排出する送出部１１５と、封筒用紙Ｐ１及び内容物用紙Ｐ２を印刷装置２外に排出する排紙部１１６と、搬送経路１１３を搬送されてきた内容物用紙Ｐ２を受け入れた後に逆行させて搬送経路１１３に戻して内容物用紙Ｐ２の上下を反転させる反転部１１７とを備えている。
【００２１】
封入封緘装置３は、図１及び図２に示すように、内容物折畳部１２１と、封筒形成部１２３と、封緘部１２６と、排出部１２７とを備えている。
【００２２】
内容物折畳部１２１は、印刷装置２から送られてきた印刷済みの内容物用紙Ｐ２を、封筒用紙枚分の枚数毎に集積して整合し、整合された内容物用紙を必要に応じて、外三つ折りまたは内三つ折りに折り畳む機構である。
【００２３】
封筒形成部１２３は、印刷装置２から送られてきた印刷済みの封筒用紙Ｐ１から封筒を形成しつつ、内容物用紙Ｐ２を封筒に収納するとともに、封筒用紙Ｐ１の所定位置に設けられた再湿糊に水を塗布し、封筒用紙Ｐ１を折り曲げつつ所定位置の対向面を接着させることで封筒を形成する。具体的に封筒形成部１２３は、封筒となる封筒用紙Ｐ１を搬送しながら内容物用紙Ｐ２を包み込むように封入する。そして、水塗布処理部１２４で、内容物用紙Ｐ２を封入した封筒用紙Ｐ１に形成された再湿糊部に水塗布部１２４ａで水を塗布し、用紙折部１２５において水塗布後の封筒用紙Ｐ１を搬送しながら折り線に沿って所定の折り処理を施す。なお、封筒形成部１２３には折部１２２が接続されており、この折部１２２は４つ折り封筒（即ち、封筒用紙Ｐ１を３回折る場合）に使用する機構である。封筒が３つ折り封筒である場合には、折部１２２は使用せず、封筒形成部１２３で折りと封入を同時に行うこととなる。
【００２４】
封緘部１２６は、封筒形成部１２３で形成された、内容物用紙Ｐ２を収納した封筒を封緘して封書Ｐ３を完成させる。封緘部１２６では、封筒の感圧接着剤同士を圧着することで封緘することもできる。排出部１２７は、封緘処理された封書Ｐ３を装置筐体外部まで上昇搬送させた後、排出トレイ１２７ａまで水平に排出搬送する。
【００２５】
封書作成システム１の印刷装置２には、封書作成システム１の各部を統括制御する制御部１１９が備えられている。
【００２６】
制御部１１９は、印刷装置２全体の動作を制御するとともに、封入封緘装置３全体の動作を制御する。制御部１１９は、ＣＰＵ、ＲＡＭ、ＲＯＭ、ハードディスク等を備えて構成される。制御部１１９には、操作パネル１２０が接続されている。
【００２７】
操作パネル１２０は、表示／入力パネル（図示しない）と、読み取りや印刷等を開始させるためのスタートキー、読み取りや印刷等を停止させるためのストップキー、印刷枚数等を入力するためのテンキー（いずれも図示せず）等の各種操作キーとを備え、ユーザ操作に基づく操作信号を制御部１１９に供給する。
【００２８】
制御部１１９は、封書作成用の印刷時において、封筒作成ジョブに基づき、封筒用紙Ｐ１及び内容物用紙Ｐ２を選択して給紙部１１１から給紙するよう制御する。封筒作成ジョブは、印刷画像データに加え、封筒用紙Ｐ１の種類（窓付き封筒用紙Ｐ１１または窓なし封筒用紙Ｐ１３）や、内容物用紙Ｐ２の枚数など印刷および封入封緘のための設定情報を含み、封書作成用印刷の際に外部の端末装置から印刷装置２に送信される。
【００２９】
さらに、制御部１１９は、封書Ｐ３を無駄に廃棄することなく封書を作成するように、印刷装置２および封入封緘装置３を制御する。具体的には、図２に示すように、封筒判定部１１９ａと、サンプル作成制御部１１９ｂと、作成制御部１１９ｃとを有する。
【００３０】
封筒判定部１１９ａは、封筒作成ジョブに基づいて封筒用紙Ｐ１が窓付き封筒用紙Ｐ１１か、または窓なし封筒用紙Ｐ１３のいずれであるかを判定する。
【００３１】
サンプル作成制御部１１９ｂは、封筒判定部１１９ａにより窓付き封筒用紙Ｐ１１と判定された場合に、封筒作成ジョブに基づいて最初の封書Ｐ３をサンプル封書として作成させる。
【００３２】
図３は、窓付き封筒用紙Ｐ１１であると判定された場合に、窓付き封筒用紙Ｐ１１及び内容物用紙Ｐ２１を用いて封書作成システム１により封書Ｐ３が作成される流れを説明した図である。内容物用紙Ｐ２１は、宛名が印刷される内容物用紙Ｐ２である。
【００３３】
窓付き封筒用紙Ｐ１１には、内容物用紙Ｐ２１が見えるように透明な窓部Ｐ１ａが設けられている。封筒用紙Ｐ１は、折り畳み線Ｐ１１ｂ，Ｐ１１ｃで折り畳まれることにより封筒Ｐ１２（Ｐ１１）が形成される。
【００３４】
内容物用紙Ｐ２１は、折り畳み線Ｐ２１ｂ，Ｐ２１ｃで折り畳まれて封筒Ｐ１２（Ｐ１１）内に封入される。内容物用紙Ｐ２１には、窓部Ｐ１ａに重なる領域として窓枠領域Ｐ２１ａが設けられている。この窓枠領域Ｐ２１ａ内に宛名が印刷されることにより、窓部Ｐ１ａを介して外側から宛名を見ることができる。
【００３５】
内容物用紙Ｐ２１の折り方としては、外三つ折りと内三つ折りがあり、ここでは外三つ折りの例を示している。外三つ折りは、所謂Ｚ折りともよばれ、折り済み内容物用紙Ｐ２２（Ｐ２１）に示すように、内容物用紙Ｐ２１の左上部に印刷された宛名が上部になるように折られる。
【００３６】
外三つ折りされた折り済み内容物用紙Ｐ２２（Ｐ２１）は、封筒Ｐ１２（Ｐ１１）内に封入され封緘されて、サンプル封書Ｐ３１が作成される。
【００３７】
なお、ここでは、内容物用紙Ｐ２１が外三つ折りされる例を示したが、内三つ折りされる場合には、内容物用紙Ｐ２１の左中部、すなわち、折り畳み線Ｐ２１ｂと折り畳み線Ｐ２１ｃとに挟まれた領域の左側に宛名が印刷される。そして、内三つ折りされることにより、印刷された宛名が上部になる。
【００３８】
その一方、サンプル作成制御部１１９ｂは、封筒判定部１１９ａにより窓付き封筒用紙Ｐ１１ではない、即ち、窓なし封筒用紙Ｐ１３であると判定された場合に、封筒作成ジョブに基づいて最初の窓なし封筒用紙Ｐ１３および内容物用紙Ｐ２３にサンプルであることを示す画像を付加して画像付加サンプル封書として作成させる。
【００３９】
図４は、窓なし封筒用紙Ｐ１３であると判定された場合に、窓なし封筒用紙Ｐ１３及び内容物用紙Ｐ２３を用いて封書作成システム１により封書Ｐ３３が作成される流れを説明した図である。
【００４０】
窓なし封筒用紙Ｐ１３には、折り畳み線Ｐ１３ｂ，Ｐ１３ｃで挟まれた領域に宛名Ｐ１３ｄと、サンプルであることを示す画像としてのサンプル印字Ｐ１３ｅとが印刷されている。
【００４１】
内容物用紙Ｐ２３にも、窓なし封筒用紙Ｐ１３と同様に、サンプルであることを示す画像としてのサンプル印字Ｐ２３ｅが印刷されている。
【００４２】
内容物用紙Ｐ２３は、折り畳み線Ｐ２３ｂ，Ｐ２３ｃで折り畳まれて封筒Ｐ１４（Ｐ１３）内に封入される。
【００４３】
内容物用紙Ｐ２３の折り方としては、外三つ折りと内三つ折りがあり、ここでは外三つ折りの例を示している。外三つ折りは、所謂Ｚ折りともよばれ、折り済み内容物用紙Ｐ２４（Ｐ２３）に示すように、内容物用紙Ｐ２３の左上部に印刷されたサンプル印字Ｐ２３ｅが上部になるように折られる。
【００４４】
外三つ折りされた折り済み内容物用紙Ｐ２４（Ｐ２３）は、封筒Ｐ１４（Ｐ１３）内に封入され封緘されて、画像付加サンプル封書Ｐ３３が作成される。
【００４５】
なお、ここでは、内容物用紙Ｐ２３が外三つ折りされる例を示したが、内三つ折りされる場合には、内容物用紙Ｐ２３の左中部、すなわち、折り畳み線Ｐ２３ｂと折り畳み線Ｐ２３ｃとに挟まれた領域の左側にサンプル印字Ｐ２３ｅが印刷される。そして、内三つ折りされることにより、印刷されたサンプル印字Ｐ２３ｅが上部になる。
【００４６】
サンプル封書Ｐ３１または画像付加サンプル封書Ｐ３３が作成され、排出部１２７に排出されると、ユーザは排出されたサンプル封書Ｐ３１または画像付加サンプル封書Ｐ３３が適切かどうかを確認する。具体的には、サンプル封書Ｐ３１については、ユーザが窓付き封筒用紙Ｐ１１の窓部Ｐ１ａを介して、内容物用紙Ｐ２１に印刷された窓枠領域Ｐ２１ａ内の宛名が適切に印刷されているか否かを確認する。画像付加サンプル封書Ｐ３３については、ユーザが、画像付加サンプル封書Ｐ３３を開封し、窓なし封筒用紙Ｐ１３に印刷された宛名と封筒Ｐ１４（Ｐ１３）に封入された内容物用紙Ｐ２３との組み合わせが正しいかどうかを確認する。ユーザはサンプル封書Ｐ３１または画像付加サンプル封書Ｐ３３が適切であることを確認すると、例えば、操作パネル１２０上に表示された確認ボタンを押下操作する。
【００４７】
ユーザが、サンプル封書Ｐ３１が適切であることを確認した場合、開封されておらず、サンプル印字されていないので、サンプル封書Ｐ３１を本作成された封書Ｐ３として使用することが可能となる。
【００４８】
そこで、作成制御部１１９ｃは、サンプル封書Ｐ３１を最初の封書（１通目の封書Ｐ３）とし、次通目以降の封書Ｐ３を封筒作成ジョブに基づいて作成させる。
【００４９】
これにより、封書Ｐ３を無駄に廃棄することなく作成することができる。
【００５０】
その一方、ユーザが画像付加サンプル封書Ｐ３３を開封して、サンプル印字されている画像付加サンプル封書Ｐ３３が適切であることを確認した場合には、このサンプル印字された画像付加サンプル封書Ｐ３３は、本作成された封書Ｐ３として使用することはできない。
【００５１】
そこで、作成制御部１１９ｃは、封筒作成ジョブに基づいて最初の通（１通目の封書Ｐ３）から封書を作成させる。これにより、ユーザにより、宛名と封入された内容物用紙Ｐ２３との組み合わせが正しいかどうかを確認した後に、封書Ｐ３を本作成することができる。
【００５２】
［作用］
次に、本発明の実施形態に係る封書作成システム１の作用について説明する。
【００５３】
図５は、本発明の実施形態に係る封書作成システム１の処理内容を示すフローチャートである。
【００５４】
制御部１１９は、封筒作成ジョブを受信すると共に、サンプルプリントが指示されると（ステップＳ１０１；ＹＥＳ）、封筒判定部１１９ａが、封筒作成ジョブに基づいて封筒用紙Ｐ１の種類が窓付き封筒用紙Ｐ１１か、または窓なし封筒用紙Ｐ１３のいずれであるかを判定する（ステップＳ１０３）。
【００５５】
封筒判定部１１９ａにより窓付き封筒用紙Ｐ１１と判定された場合（ステップＳ１０３；窓付き封筒）、サンプル作成制御部１１９ｂは、サンプル印字することなく、封筒作成ジョブに基づいて最初の封書Ｐ３をサンプル封書Ｐ３１として作成させる（ステップＳ１０５）。
【００５６】
操作パネル１２０は、例えば、「適切に封書が作成されていますか？」などのメッセージを表示する（ステップＳ１０７）。
【００５７】
ユーザは、操作パネル１２０上に表示された確認ボタンを押下操作すると（ステップＳ１０９；ＹＥＳ）、ユーザはサンプル封書Ｐ３１が適切であることを確認したことになる。
【００５８】
そこで、作成制御部１１９ｃは、サンプル封書Ｐ３１を最初の封書（１通目の封書Ｐ３）とし、次通目以降の封書Ｐ３を封筒作成ジョブに基づいて作成させる（ステップＳ１１１）。
【００５９】
操作パネル１２０上に表示された確認ボタンを押下操作されなかった場合（ステップＳ１０９；ＮＯ）、ユーザはサンプル封書Ｐ３１が適切でないと判断したことになる。
【００６０】
そこで、制御部１１９は、封書作成を中止する（ステップＳ１１３）。
【００６１】
一方、封筒判定部１１９ａにより窓なし封筒用紙Ｐ１３と判定された場合（ステップＳ１０３；窓なし封筒）、サンプル作成制御部１１９ｂは、封筒作成ジョブに基づいて、１通目の窓なし封筒用紙Ｐ１３に宛先と「サンプル」文字を印刷すると共に、１通目の内容物用紙Ｐ２３に内容物画像と「サンプル」の文字とを印刷する（ステップＳ１２１）。
【００６２】
そして、サンプル作成制御部１１９ｂは、印刷した窓なし封筒用紙Ｐ１３の中に内容物用紙Ｐ２３を封入し、封緘することなく画像付加サンプル封書Ｐ３３を作成させる（ステップＳ１２３）。
【００６３】
操作パネル１２０は、例えば、「適切に封書が作成されていますか？」などのメッセージを表示する（ステップＳ１２５）。
【００６４】
ユーザは、操作パネル１２０上に表示された確認ボタンを押下操作すると（ステップＳ１２７；ＹＥＳ）、ユーザは画像付加サンプル封書Ｐ３３が適切であることを確認したことになる。
【００６５】
そこで、作成制御部１１９ｃは、画像付加サンプル封書Ｐ３３はユーザに廃棄させて、封筒作成ジョブに基づいて最初の通（１通目の封書Ｐ３）から封書を作成させる（ステップＳ１２９）。
【００６６】
操作パネル１２０上に表示された確認ボタンを押下操作されなかった場合（ステップＳ１２７；ＮＯ）、ユーザは画像付加サンプル封書Ｐ３３が適切でないと判断したことになる。
【００６７】
そこで、制御部１１９は、封書作成を中止する（ステップＳ１１３）。
【００６８】
以上のように、封筒判定部１１９ａが、封筒作成ジョブに基づいて封筒用紙Ｐ１の種類が窓付き封筒用紙Ｐ１１か否かを判定し、封筒判定部１１９ａにより窓付き封筒用紙Ｐ１１と判定された場合、サンプル作成制御部１１９ｂが、封筒作成ジョブに基づいて最初の封書Ｐ３をサンプル封書Ｐ３１として作成させ、作成制御部１１９ｃが、サンプル封書Ｐ３１を最初の封書（１通目の封書Ｐ３）とし、次通目以降の封書Ｐ３を封筒作成ジョブに基づいて作成させる。
【００６９】
そのため、サンプル封書Ｐ３１を有効活用して、封筒作成ジョブに基づいて封書Ｐ３を作成するので、封書Ｐ３を無駄に廃棄することなく作成することができる。
【００７０】
また、封筒判定部１１９ａにより窓なし封筒用紙Ｐ１３と判定された場合、サンプル作成制御部１１９ｂは、封筒作成ジョブに基づいて最初の窓なし封筒用紙Ｐ１３および内容物用紙Ｐ２３にサンプルであることを示す画像を付加して画像付加サンプル封書として作成させ、作成制御部１１９ｃが、封筒作成ジョブに基づいて最初の通（１通目の封書Ｐ３）から封書を作成させる。これにより、ユーザにより、宛名と封入された内容物用紙Ｐ２３との組み合わせが正しいかどうかを確認した後に、封書Ｐ３を本作成することができる。
【００７１】
なお、本発明の実施形態に係る封書作成システム１は、例えば紙詰まりなどのエラーが発生した後の再開時にも適用可能である。
【００７２】
具体的には、紙詰まりなどのエラーが発生すると、ユーザが紙詰まりが発生した用紙を除去した後、外部の端末装置からサンプルプリントを指示する操作を行う。その後、図４に示したフローチャートの手順に従って処理が実行される。このとき、再開する通を１通目として封書Ｐ３が作成される。
【００７３】
（付記）
本出願は、以下の発明を開示する。
【００７４】
（付記１）
封筒作成ジョブに基づいて封筒および内容物を印刷する印刷装置と、前記印刷装置により印刷された内容物を折り畳んで前記封筒に封入封緘する封入封緘装置とを備えた封書作成システムであって、
前記封筒作成ジョブに基づいて前記封筒が窓付き封筒か否かを判定する封筒判定手段と、
前記封筒判定手段により窓付き封筒と判定された場合に、前記封筒作成ジョブに基づいて最初の封書をサンプル封書として作成させるサンプル作成制御手段と、
前記サンプル作成制御手段により作成されたサンプル封書が適切であることが確認された場合に、前記サンプル封書を最初の封書とし、次通目以降の封書を前記封筒作成ジョブに基づいて作成させる作成制御手段と、
を備えたことを特徴とする封書作成システム。
【００７５】
（付記２）
前記サンプル作成制御手段は、
前記封筒判定手段により窓付き封筒ではないと判定された場合に、前記封筒作成ジョブに基づいて最初の前記封筒および前記内容物にサンプルであることを示す画像を付加して最初の封書を画像付加サンプル封書として作成させ、
前記作成制御手段は、
前記サンプル作成制御手段により作成された画像付加サンプル封書が適切であることが確認された場合に、前記封筒作成ジョブに基づいて最初の封書から作成させる
ことを特徴とする（付記１）記載の封書作成システム。
【符号の説明】
【００７６】
１  封書作成システム
２  印刷装置
３  封入封緘装置
１１１  給紙部
１１２  搬送部
１１３  搬送経路
１１４  印刷部
１１５  送出部
１１６  排紙部
１１７  反転部
１１８  検出部
１１９  制御部
１１９ａ  封筒判定部
１１９ｂ  サンプル作成制御部
１１９ｃ  作成制御部
１２０  操作パネル
１２１  内容物折畳部
１２２  折部
１２３  封筒形成部
１２４  水塗布処理部
１２４ａ  水塗布部
１２５  用紙折部
１２６  封緘部
１２７  排出部
１２７ａ  排出トレイ
【図１】
2019181779.tif 000003
【図２】
2019181779.tif 000004
【図３】
2019181779.tif 000005
【図４】
2019181779.tif 000006
【図５】
2019181779.tif 000007